(57)【要約】【課題】  スピーカー振動板の往復運動に起因する力によって、地面への接地点がガタついたり、スピーカーボックス自身が歪んだりしにくい、シンプルな構造のスピーカー装置を構築する。【解決手段】  近似的な４面体で、三点接地構造４とし、接地点４ｃ付近にスピーカーボックス１の重り兼補強手段３を配置する。【選択図】    図１
2006262429.tif 000002
【特許請求の範囲】
【請求項１】
電気信号を空気振動（音）に変換するためのスピーカー装置であって、前面、底面と左右側面を持った近似的な４面体で、底面の持つ３個の頂角付近で地面に接地される構造で、前記頂角のうち後方の頂角付近にスピーカーボックスの補強を兼ねた重りを備えたスピーカー装置。
【発明の詳細な説明】
【技術分野】
【０００１】  本発明は、電気信号を空気振動（音）に変換するためのスピーカー装置に関する。
【背景技術】
【０００２】  オーディオ装置等においては、レコード再生装置等から出力された電気信号は信号増幅器に入力され、信号増幅器にてスピーカー装置を駆動するのに適した形の電気信号に変換されて、最終的にスピーカー装置で空気振動に変換されている。【０００３】  従来の地面に設置されるタイプのスピーカー装置には、スピーカー振動板正面軸方向に強い空気振動の指向性を考慮して、リスナーの耳の高さにスピーカー振動板の正面軸の高さを合わせる為の鉛直縦長の柱形状や、高さをかせぐ為に専用のスタンドを持つものがある。（例えば、非特許文献１参照）【０００４】
【非特許文献１】「ニュー・ディーエイチティー・シリーズ・カタログ」株式会社デノン、２００４年１１月、ｐ．３，ｐ．４
【０００５】  また、スピーカー振動板等から構成されるスピーカーユニットは、スピーカーボックスの前面に搭載されることが多い。（例えば、非特許文献１参照）
【発明の開示】
【発明が解決しようとする課題】
【０００６】  スピーカー装置においては、スピーカー振動板の往復運動に起因する力によって、地面への接地点がガタついたり、スピーカーボックスが歪んだりしないこと、すなわちスピーカー装置が電気信号を空気振動に変換する際の、信号変換歪み発生につながる要素が少ないことが望まれる。【０００７】  しかし、スピーカー振動板が発生させる空気振動の指向性を考慮して、リスナーの耳の高さにスピーカー振動板の正面軸の高さを合わせる為に、鉛直縦長の柱形状にしたり、細長い足のスタンドに乗せたりすると、スピーカー装置の重心位置が高くなったり、スタンドの細長い足が歪みやすくなる。また、高くなった重心位置を下げ、地面に接地する各点間の距離を稼いで、スピーカー振動板の往復運動に起因する接地点のガタつきを抑える為のベース部材を取り付けるような構造（非特許文献１参照）では、スピーカーボックス本体とベース部材で曲げ剛性の差が大きくなり、接合部分に応力が集中して歪みが発生したり、構造が複雑になって接合部分にガタが発生する可能性が高くなる。【０００８】  また、スピーカー振動板等から構成されるスピーカーユニットが、スピーカーボックスの前面に搭載されている場合、スピーカー振動板の往復運動の方向によって、地面とのガタつきの発生しやすさが大きく異なることが多い。【０００９】  これらのように、スピーカー振動板の往復運動時に発生する力に影響されて動いてはならないスピーカー装置がガタついたり歪んだりすると、地面を基準としたスピーカー振動板の変位量が狂ってしまい、信号変換歪みの増大につながる。
【課題を解決するための手段】
【００１０】  図１のような近似四面体構造のスピーカー装置において、気体中に設置されたスピーカー振動板２ａの往復運動に起因して、スピーカーユニット２が搭載されたスピーカーボックス１がスピーカー振動板２ａよりスピーカーフレーム２ｂを通して受ける力に対抗するための重り兼補強手段３を、接地点４ｃの付近に重点的に配置する。
【発明の効果】
【００１１】  近似四面体構造のスピーカーボックス１によって、リスナーの耳の高さにスピーカー振動板２ａの正面軸高さを近づけつつ、スピーカーボックス１の重心を下げることが出来る。【００１２】  近似四面体構造のスピーカーボックス１によって、スピーカーユニット２から地面に至るまで、スピーカーボックス１の断面二次モーメントをスムーズ増加させ、スピーカーボックス１自身の歪みの発生を低くすることが出来る。【００１３】  近似四面体構造のスピーカーボックス１によって、特別なベース部材無しに、三点接地構造４の各点間の距離を最大限にとることが出来る。【００１４】  図２、図３は、図１のスピーカー装置を横方向から見たベクトル図であり、図２はスピーカーボックス１がスピーカーフレーム２ｂからスピーカー振動板２ａ正面軸方向に力を受けているときの接地点４ａ（４ｂ）を中心とするもの、図３はスピーカーボックス１がスピーカーフレーム２ｂからスピーカー振動板２ａ背面軸方向に力を受けているときの接地点４ｃを中心とするものである。図２において接地点４ａ（４ｂ）を中心にスピーカー装置が回転しはじめるときのスピーカー振動板２ａが軸方向に発生させる力の大きさと、図３において接地点４ｃを中心にスピーカー装置が回転しはじめるときのスピーカー振動板２ａが軸方向に発生させる力の大きさが出来るだけ等しくなるように、接地点４ｃの付近に配置する重り兼補強手段３の素材及び体積を選定することで、最適な重心のスピーカー装置を得ることが出来る。【００１５】  以上のように本発明では、重心が低く、三点接地構造４の各点間の距離が長い近似四面体構造のスピーカーボックス１の後方接地点４ｃ付近に配置する重り兼補強手段３を選定することで、スピーカー振動板２ａの往復運動に起因する各接地点４ａ、４ｂ、４ｃのガタつきを効率的におさえつつ、歪みにくく特別なベース部材を必要としないスピーカー装置を構築することが可能となり、スピーカー装置における信号変換歪みを減少させることが出来る。
【発明を実施するための最良の形態】
【００１６】    〔第１実施形態〕
図１において、本発明の第１実施形態を採用したスピーカーボックス１の素材はベニア合板であり、ベニア合板のカット後、木工用ボンドによって強固に組み立てられる。【００１７】  スピーカーユニット２は可動コイル直接放射タイプであり、スピーカーフレーム２ｂはスピーカーボックス１にインサートされたナットに対応するボルトを使用して強固に搭載される。【００１８】  重り兼補強手段３は鉄であり、重り兼補強手段３にきられたメネジに対応するボルトを使用して、スピーカーボックス１内部の接地点４ｃ付近に強固に連結される。【００１９】  各接地点４ａ、４ｂ、４ｃは、スピーカーボックスの底面から突起しており、三点接地構造４を採る。（厳密には３点接地ではなく、比較的小さな三つの面による接地である）【００２０】    〔第２実施形態〕
図１において、本発明の第２実施形態を採用したスピーカーボックス１の素材は無垢の木材であり、くりぬき加工によって一体に削りだされる。【００２１】  スピーカーユニット２はホーンタイプであり、スピーカーフレーム２ｂはスピーカーボックス１にインサートされたナットに対応するボルトを使用して強固に搭載される。【００２２】  重り兼補強手段３は石膏であり、水で溶いてスピーカーボックス１内部の接地点４ｃ付近に流し込み、安静にして硬化させる。【００２３】  各接地点４ａ、４ｂ、４ｃは、スピーカーボックス１の底面に打ち込まれわずかに突起した真鍮球であり、三点接地構造４を採る。（厳密には３点接地ではなく、３つの球面による接地である）【００２４】    〔第３実施形態〕
図１において、本発明の第３実施形態を採用したスピーカーボックス１の素材はポリプロピレンであり、射出成型機を用いて成型される。【００２５】  スピーカーユニット２は可動コイル直接放射タイプであり、スピーカーフレーム２ｂはスピーカーボックス１にインサートされたナットに対応するボルトを使用して強固に搭載される。【００２６】  重り兼補強手段３は鉄であり、スピーカーボックス１の成型時に接地点４ｃ付近にインサートされる。【００２７】  各接地点４ａ、４ｂ、４ｃは、スピーカーボックス１の底面から突起しており、三点接地構造４を採る。（厳密には３点接地ではなく、３つの球面による接地である）
【図面の簡単な説明】
【図１】本発明の透視図
【図２】本発明の概念を示すベクトル図のうち、接地点４ａ（４ｂ）を中心とするもの
【図３】本発明の概念を示すベクトル図のうち、接地点４ｃを中心とするもの
【符号の説明】
５      スピーカーボックス１の重心位置
６      スピーカーボックス１の重さベクトル
７      スピーカーフレーム２ｂが正面軸方向に及ぼす力のベクトル
８      スピーカーフレーム２ｂが及ぼす力の中心位置
９      スピーカーユニット２の重心位置
１０    スピーカーユニット２の重さベクトル
１１    重り兼補強手段３の重心位置
１２    重り兼補強手段３の重さベクトル
１３    地面（接地面）
１４    スピーカーフレーム２ｂが背面軸方向に及ぼす力のベクトル
【図１】
2006262429.tif 000003
【図２】
2006262429.tif 000004
【図３】
2006262429.tif 000005
【手続補正書】
【提出日】平成18年7月1日(2006.7.1)
【手続補正１】
【補正対象書類名】特許請求の範囲
【補正対象項目名】全文
【補正方法】変更
【補正の内容】
【特許請求の範囲】
【請求項１】
電気信号を空気振動（音）に変換するためのスピーカー装置であって、
前面、底面と左右側面を持った近似的な４面体で、
底面の持つ３個の頂角付近で地面に接地される構造で、
前記頂角のうち後方の頂角付近にスピーカーボックスの補強を兼ねた重りを備えた、
スピーカー装置。
【請求項２】
前記近似的な４面体の持つ合計４個の頂角のうち、前記底面の持つ３個の頂角ではない頂角付近に限定してスピーカー振動板が前記スピーカーボックスの外部に露出される、
請求項１に記載のスピーカー装置。
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
電気信号を空気振動（音）に変換するためのスピーカー装置であって、
前面、底面と左右側面を持った近似的な４面体で、
底面の持つ３個の頂角付近で地面に接地され、
前記近似的な４面体の持つ合計４個の頂角のうち、前記底面の持つ３個の頂角ではない頂角付近に限定してスピーカー振動板が前記スピーカーボックスの外部に露出される構造で、
前記頂角のうち後方の頂角付近にスピーカーボックスの補強を兼ねた重りを備えた、
スピーカー装置。
【請求項２】
前記スピーカー振動板を備える1つのスピーカーユニットのみで構成される、
請求項１に記載のスピーカー装置。